(57)【特許請求の範囲】
【請求項１】
無線を介して外部機器と通信を行う生体試料測定装置であって、
生体データを測定する生体データ測定部と、
前記生体データ測定部で測定した前記生体データを送信する送信部と、
前記外部機器が前記送信部によって送信された前記生体データを正常に受信した際に返信するアクノリッジ信号を受信する受信部と、
前記送信部が前記生体データの送信を行った際の送信電力および前記アクノリッジ信号の受信の有無を履歴情報として記憶する記憶部と、
前記送信部が前記生体データを送信する前に、前記記憶部に格納されている履歴情報から同じ使用環境の履歴情報を抽出するための送信電力決定規則の抽出条件に合致する履歴情報を抽出し、この抽出された前記履歴情報に含まれる送信電力とアクノリッジ信号の受信有無に基づいて前記送信部の送信電力を決定する送信電力決定部と、
を備えている、生体試料測定装置。
【請求項２】
前記送信電力決定部は、前記送信電力決定規則に従って所定の個数の前記履歴情報を抽出し、抽出された前記履歴情報において前記アクノリッジ信号受信有りの前記履歴情報が所定の個数以上ある場合、前記履歴情報として記憶されている前記送信電力よりも小さくなるように、前記送信部の前記送信電力を決定する、
請求項１に記載の生体試料測定装置。
【請求項３】
前記送信電力決定部は、前記送信電力決定規則に従って所定の個数の前記履歴情報を抽出し、抽出された前記履歴情報において前記アクノリッジ信号の受信有りの前記履歴情報が所定の個数以上なかった場合、前記履歴情報として記憶されている前記送信電力よりも大きくなるように、前記送信部の前記送信電力を決定する、
請求項１に記載の生体試料測定装置。
【請求項４】
前記送信部が送信する直前の雑音電力の測定を行う雑音電力測定部をさらに備えており、
前記記憶部は、前記雑音電力測定部によって測定された前記雑音電力を前記履歴情報としてさらに記憶する、
請求項１から３のいずれか１項に記載の生体試料測定装置。
【請求項５】
前記送信電力決定部は、前記送信電力決定規則に従って前記アクノリッジ信号の受信有りの前記履歴情報を抽出し、抽出された前記履歴情報における前記送信電力に対する前記雑音電力の比と同じになるように、前記雑音電力測定部が測定する前記雑音電力に基づいて前記送信部の前記送信電力を決定する、
請求項４に記載の生体試料測定装置。
【請求項６】
前記送信電力決定部は、前記送信電力決定規則に従って所定の個数の前記履歴情報を抽出し、抽出された前記履歴情報において前記アクノリッジ信号の受信有りの前記履歴情報が所定の個数以上ある場合、前記履歴情報における前記送信電力に対する前記雑音電力の比よりも大きくなるように、前記雑音電力測定部が測定する前記雑音電力に基づいて前記送信部の前記送信電力を決定する、
請求項４に記載の生体試料測定装置。
【請求項７】
前記送信電力決定部は、前記送信電力決定規則に従って所定の個数の前記履歴情報を抽出し、抽出された前記履歴情報において前記アクノリッジ信号の受信有りの前記履歴情報が所定の個数以上なかった場合、前記履歴情報における前記送信電力に対する前記雑音電力の比よりも小さくなるように、前記雑音電力測定部が測定する前記雑音電力に対して前記送信部の前記送信電力を決定する、
請求項４に記載の生体試料測定装置。
【請求項８】
無線を介して外部機器と通信を行う生体試料測定装置であって、
生体データを測定する生体データ測定部と、
前記生体データ測定部で測定した前記生体データを送信する送信部と、
前記外部機器が前記送信部によって送信された前記生体データを正常に受信した際に返信するアクノリッジ信号を受信する受信部と、
前記送信部が前記生体データの送信を行った際の送信電力および前記アクノリッジ信号の受信の有無と、前記外部機器が前記生体データを受信した際の受信電力とを含む履歴情報と、前記外部機器が前記生体データを受信する際の最適な受信電力である基準受信電力と、を記憶する記憶部と、
前記送信部が前記生体データを送信する前に、前記記憶部に格納されている前記履歴情報から同じ使用環境の履歴情報を抽出するための送信電力決定規則の抽出条件に合致する履歴情報を抽出し、この抽出された前記履歴情報に含まれる送信電力とアクノリッジ信号の受信有無と前記基準受信電力に基づいて前記送信部の送信電力を決定する送信電力決定部と、
を備えている、生体試料測定装置。
【請求項９】
前記送信電力決定部は、前記送信電力決定規則に従って１つの前記履歴情報を抽出し、抽出された前記履歴情報における前記受信電力と前記基準受信電力とを比較して、前記受信電力の方が大きい場合には、抽出された前記履歴情報として記憶されている前記送信電力よりも小さくなるように前記送信部が送信する際の前記送信電力を決定し、前記受信電力の方が小さい場合には、抽出された前記履歴情報として記憶されている前記送信電力よりも大きくなるように前記送信部が送信する際の前記送信電力を決定する、
請求項８に記載の生体試料測定装置。
【請求項１０】
前記送信電力決定部は、前記送信電力決定規則に従って所定の個数の前記履歴情報を抽出し、抽出された前記履歴情報において前記アクノリッジ信号受信有りの前記履歴情報が所定の個数以上ある場合、前記基準受信電力を前記記憶部に記憶されている値よりも小さくする、
請求項８または９に記載の生体試料測定装置。
【請求項１１】
前記送信電力決定部は、前記送信電力決定規則に従って所定の個数の前記履歴情報を抽出し、抽出された前記履歴情報において前記アクノリッジ信号受信有りの前記履歴情報が所定の個数以上なかった場合、前記基準受信電力を前記記憶部に記憶されている値よりも大きくする、
請求項８または９に記載の生体試料測定装置。
【請求項１２】
前記送信電力決定規則は、新しいものから順に前記履歴情報を抽出するように定められている、
請求項１から１１のいずれか１項に記載の生体試料測定装置。
【請求項１３】
前記送信電力決定規則は、前記送信電力決定部における前記履歴情報の抽出時と同じ曜日の前記履歴情報を抽出するように定められている、
請求項１から１２のいずれか１項に記載の生体試料測定装置。
【請求項１４】
前記送信電力決定規則は、前記送信電力決定部における前記履歴情報の抽出時と同じ時間帯の前記履歴情報を抽出するように定められている、
請求項１から１３のいずれか１項に記載の生体試料測定装置。
【請求項１５】
前記送信電力決定部は、前記生体データ測定部によって測定された生体データが所定の範囲の値ではない場合には、前記送信部が出力可能な最大の前記送信電力に決定する、
請求項１から１４のいずれか１項に記載の生体試料測定装置。
【請求項１６】
前記生体データ測定部によって測定された生体データを表示する為の表示部と、測定者が各種動作設定を行う為の動作設定部と、警告音を出力する為の警告音出力部と、を有しているインタフェース部をさらに備えており、
前記生体データ測定部によって測定された前記生体データが所定の値よりも低い場合、前記警告音出力部から警告音を出力するとともに前記表示部に緊急ステータスを表示する、
請求項１から１５のいずれか１項に記載の生体試料測定装置。
【請求項１７】
前記緊急ステータスは、電話番号である、
請求項１６に記載の生体試料測定装置。
【請求項１８】
前記緊急ステータスは、低血糖に対する対処方法である、
請求項１６または１７に記載の生体試料測定装置。
【請求項１９】
前記生体データ測定部が血糖値を測定する構成とした無線血糖計である、
請求項１から１８のいずれか１項に記載の生体試料測定装置。
【請求項２０】
請求項８から１１のいずれか１項に記載の生体試料測定装置と、
前記生体試料測定装置から送信された生体データを受信する外部受信部と、前記外部受信部が前記生体データを正常に受信したか否かを判定する誤り検出部と、前記誤り検出部が前記生体データを正常に受信したと判定した時に前記生体試料測定装置に対してアクノリッジ信号を送信する外部送信部と、前記外部受信部が前記生体データを受信した際の受信電力を測定し、所定の値と比較する受信電力判定部と、前記受信電力判定部の判定結果に基づいて前記外部送信部の送信電力を選択する送信電力選択部と、を有している外部機器と、
を備えている、生体試料測定システム。
【請求項２１】
前記送信電力選択部は、前記受信電力判定部が、前記外部受信部が前記生体データを受信した際の前記受信電力が前記所定の値よりも小さいと判定した時、前記外部送信部における前記送信電力として最大電力を選択する、
請求項２０に記載の生体試料測定システム。
【発明の詳細な説明】
【技術分野】
【０００１】
本発明は、生体試料測定装置、より詳細には、無線通信機能を有する生体試料測定装置およびこれを備えた生体試料測定システムに関する。
【背景技術】
【０００２】
従来、無線携帯端末機においては、無線送信電力を一定に固定し、通信が行われていた。ところが、送信電力を固定して使用すると、十分に通信が可能な距離においても、必要以上の送信電力で通信することとなり、消費電力を無駄に消費してしまう。
【０００３】
このような点に鑑みて、送信電力を最適に調整する無線携帯端末機が開示されている。
例えば、特許文献１においては、図１８に示すように、通信状態で通信相手が受信した信号の電力である受信電力ＲＸと受信電力の基準である基準電力ＲＸrefとを比較し、（ＲＸ＞ＲＸref）でない場合には、送信電力をデフォルト値に戻し、（ＲＸ＞ＲＸref）の場合には、送信電力を減少させてデータ送信している。この時、通信相手の受信データのエラーレートが低下していれば、送信電力をもとの値に戻し、エラーレートが低下していなければ、現在の送信電力を維持することにより送信電力を制御している。
【特許文献１】特開平１０−２８５１０９号公報（平成１０年１０月２３日公開）
【発明の開示】
【発明が解決しようとする課題】
【０００４】
しかしながら、上記従来の無線端末機では、以下に示すような問題点を有している。
すなわち、従来の無線端末機においては、エラーレートを基準に送信電力の最適化を行っているので、所定の容量のデータを送受信しない限り送信電力の最適化を図ることができない。このため、例えば、無線血糖計で測定した血糖値データのような容量が非常に小さいデータを無線送信する場合には、送信電力の最適化を図ることができない。
【０００５】
本発明の課題は、送信するデータの容量に関わらず、送信電力の最適化を図ることが可能な生体試料測定装置およびこれを備えた生体試料測定システムを提供することにある。
【課題を解決するための手段】
【０００６】
第１の発明に係る生体試料測定装置は、無線を介して外部機器と通信を行う生体試料測定装置であって、生体データ測定部と、送信部と、受信部と、記憶部と、送信電力決定部とを備えている。生体データ測定部は、生体データを測定する。送信部は、生体データ測定部で測定した生体データを送信する。受信部は、外部機器が送信部によって送信された生体データを正常に受信した際に返信するアクノリッジ信号を受信する。記憶部は、送信部が生体データの送信を行った際の送信電力およびアクノリッジ信号の受信の有無を履歴情報として記憶する。送信電力決定部は、記憶部に格納されている履歴情報、または、抽出条件を定めた送信電力決定規則に従って抽出された履歴情報に基づいて送信部の送信電力を決定する。
【０００７】
ここでは、送信部が生体データの送信を行った際の送信電力およびアクノリッジ信号の有無を履歴情報として記憶部に記憶している。そして、送信電力決定部は、記憶部に格納されている履歴情報、あるいは、抽出条件を定めた送信電力決定規則に従って抽出された履歴情報に基づいて、送信部が送信する際の送信電力を決定している。
【０００８】
例えば、生体試料測定装置の一つである無線血糖計が送信した血糖値を外部機器の一つである携帯端末が正常に受信した時、携帯端末は、無線血糖計に対してアクノリッジ信号を送信する。そして、無線血糖計は、血糖値を送信した際の送信電力とその送信に対するアクノリッジ信号受信の有無とを１つの履歴情報として記憶しておき、その履歴情報に基づいて送信する際の送信電力を決定する。
【０００９】
従来、無線端末機における送信電力の最適化は、送受信時のエラーレートを基準に行っていた。ところが、この方法では、所定の容量のデータを送受信しない限り送信電力の最適化を図ることができないので、例えば、無線血糖計で測定した血糖値のような容量が非常に小さいデータを無線送信する場合には、送信電力の最適化を図ることができなかった。
【００１０】
そこで、本発明の生体試料測定装置においては、送信部が生体データの送信を行った際の送信電力とその送信に対するアクノリッジ信号受信の有無とを履歴情報として記憶しておき、その履歴情報に基づいて送信部が送信する際の送信電力を決定している。また、送信電力を決定する際には、所定の抽出条件を定めた送信電力決定規則に従って抽出された履歴情報に基づいて決定してもよい。
【００１１】
これにより、例えば、送信部が送信した生体データが確実に受信されたことを示す履歴情報における送信電力を、送信部の送信電力として決定することが可能となる。例えば、無線血糖計と携帯端末との間で所定の容量のデータの送受信を行わなくても、記憶部に記憶されているアクノリッジ信号受信有り、すなわち、無線血糖計と携帯端末との間で相互に通信が可能であった履歴情報における送信電力を、送信部の送信電力として決定することが可能となる。また、例えば、無線血糖計と携帯端末との間で相互に通信が可能であった履歴情報が複数あった場合には、その中で最小の送信電力を、送信部の送信電力として決定することが可能となる。
【００１２】
この結果、送信するデータの容量に関わらず、送信電力の最適化を図ることが可能となる。
【００１３】
第２の発明に係る生体試料測定装置は、第１の発明に係る生体試料測定装置であって、送信電力決定部は、送信電力決定規則に従って所定の個数の履歴情報を抽出し、抽出された履歴情報においてアクノリッジ信号受信有りの履歴情報が所定の個数以上ある場合、履歴情報として記憶されている送信電力よりも小さくなるように、送信部の送信電力を決定する。
【００１４】
ここでは、アクノリッジ信号受信有りの履歴情報、すなわち、送信部が送信した生体データが確実に受信されたことを示す履歴情報が所定の個数以上あった場合、送信電力決定部は、送信部が送信する際の送信電力の出力が十分であると判断して、所定の値だけ送信電力を下げている。
【００１５】
なお、ここでいう、送信電力決定規則とは、履歴情報を抽出するための条件をいい、例えば、最新の履歴情報から順に抽出するといった条件や、生体データを測定している日と同じ時間や曜日を抽出するといった条件等がある。
【００１６】
ここで、送信部が送信する際の送信電力は、通信できる範囲で極力小さくする方が省電力化を図る上で有利である。
これにより、送信部の送信電力を通信可能な範囲で小さくすることができるので、省電力化を図ることが可能となる。
【００１７】
第３の発明に係る生体試料測定装置は、第１の発明に係る生体試料測定装置であって、送信電力決定部は、送信電力決定規則に従って所定の個数の履歴情報を抽出し、抽出された履歴情報においてアクノリッジ信号の受信有りの履歴情報が所定の個数以上なかった場合、履歴情報として記憶されている送信電力よりも大きくなるように、送信部の送信電力を決定する。
【００１８】
ここでは、送信部が送信した生体データが確実に受信されたことを示す履歴情報が所定の個数以上なかった場合、送信電力決定部は、送信部が送信する際の送信電力の出力が不十分であると判断して、所定の値だけ送信電力を上げている。
【００１９】
これにより、送信部が送信した生体データが確実に受信されるように、送信電力をより最適に決定することが可能となる。例えば、無線血糖計と携帯端末との関係においては、携帯端末が無線血糖計より送信されるデータを確実に受信できるように、送信電力をより最適に決定することが可能となる。
【００２０】
第４の発明に係る生体試料測定装置は、第１から第３の発明のいずれか１つに係る生体試料測定装置であって、送信部が送信する直前の雑音電力の測定を行う雑音電力測定部をさらに備えており、記憶部は、雑音電力測定部によって測定された雑音電力を履歴情報としてさらに記憶する。
【００２１】
ここでは、送信部が送信する際の送信電力を決定するにあたって雑音電力を考慮するために、送信部が送信する直前の雑音電力の測定を行う雑音電力測定部をさらに備えている。そして、記憶部は、雑音電力測定部によって測定された雑音電力を、送信部が生体データの送信を行った際の送信電力とアクノリッジ信号の有無と共に履歴情報として記憶する。
【００２２】
ここで、雑音電力は、一般的に、無線端末機どうしの通信に悪影響を与える。
これにより、送信電力を決定するにあたって雑音電力による影響を考慮することができようになる。
【００２３】
第５の発明に係る生体試料測定装置は、第４の発明に係る生体試料測定装置であって、送信電力決定部は、送信電力決定規則に従ってアクノリッジ信号の受信有りの履歴情報を抽出し、抽出された履歴情報における送信電力に対する雑音電力の比と同じになるように、雑音電力測定部が測定する雑音電力に基づいて送信部の送信電力を決定する。
【００２４】
ここでは、送信部が送信した生体データが確実に受信されたことを示す履歴情報から送信電力に対する雑音電力の比、いわゆるＳ／Ｎ比の逆数を算出している。そして、雑音電力測定部によって送信時における雑音電力が既知の状態となるので、これに基づいて前述のＳ／Ｎ比の逆数となるように、送信部が送信する際の送信電力を決定している。
【００２５】
これにより、雑音電力による通信の影響を考慮することができるので、送信電力をより最適に決定することが可能となる。
【００２６】
第６の発明に係る生体試料測定装置は、第４の発明に係る生体試料測定装置であって、送信電力決定部は、送信電力決定規則に従って所定の個数の履歴情報を抽出し、抽出された履歴情報においてアクノリッジ信号の受信有りの履歴情報が所定の個数以上ある場合、履歴情報における送信電力に対する雑音電力の比よりも大きくなるように、雑音電力測定部が測定する雑音電力に基づいて送信部の送信電力を決定する。
【００２７】
ここでは、送信部が送信した生体データが確実に受信されたことを示す履歴情報が所定の個数以上あった場合、送信電力決定部は、送信部が送信する際の送信電力には十分の出力があると判断して、所定の値だけＳ／Ｎ比を下げている。
【００２８】
ここで、送信部が送信する際の送信電力は、通信できる範囲で極力小さくする方が、省電力化を図る上で有利である。
これにより、送信部の送信電力を通信可能な範囲で小さくすることができるので、省電力化を図ることが可能となる。
【００２９】
第７の発明に係る生体試料測定装置は、第４の発明に係る生体試料測定装置であって、送信電力決定部は、送信電力決定規則に従って所定の個数の履歴情報を抽出し、抽出された履歴情報においてアクノリッジ信号の受信有りの履歴情報が所定の個数以上なかった場合、履歴情報における送信電力に対する雑音電力の比よりも小さくなるように、雑音電力測定部が測定する雑音電力に対して送信部の送信電力を決定する。
【００３０】
ここでは、送信部が送信した生体データが確実に受信されたことを示す履歴情報が所定の個数以上あった場合、送信電力決定部は、送信部が送信する際の送信電力が不十分であると判断して、所定の値だけＳ／Ｎ比を上げている。
【００３１】
これにより、送信部が送信した生体データが確実に受信されるように、送信電力をより最適に決定することが可能となる。例えば、無線血糖計と携帯端末との関係においては、携帯端末が無線血糖計より送信されるデータを確実に受信できるように、送信電力をより最適に決定することが可能となる。
【００３２】
第８の発明に係る生体試料測定装置は、無線を介して外部機器と通信を行う生体試料測定装置であって、生体データ測定部と、送信部と、受信部と、記憶部と、送信電力決定部と、を備えている。生体データ測定部は、生体データを測定する。送信部は、生体データ測定部で測定した生体データを送信する。受信部は、外部機器が送信部によって送信された生体データを正常に受信した際に返信するアクノリッジ信号を受信する。記憶部は、送信部が生体データの送信を行った際の送信電力およびアクノリッジ信号の受信の有無と、外部機器が生体データを受信した際の受信電力とを含む履歴情報と、外部機器が生体データを受信する際の最適な受信電力である基準受信電力とを記憶する。送信電力決定部は、記憶部に格納されている履歴情報と基準受信電力、あるいは、抽出条件を定めた送信電力決定規則に従って抽出された履歴情報と基準受信電力に基づいて送信部が送信する際の送信電力を決定する。
【００３３】
ここでは、送信部が生体データの送信を行った際の送信電力およびアクノリッジ信号の有無、外部機器が生体データを受信した際の受信電力を履歴情報として、また、外部機器が生体データを受信する際に最適な受信電力を基準受信電力として記憶部に記憶している。そして、送信電力決定部は、記憶部に格納されている履歴情報と基準受信電力、あるいは、抽出条件を定めた送信電力決定規則に従って抽出された履歴情報と基準受信電力に基づいて送信部が送信する際の送信電力を決定している。
【００３４】
なお、ここでいう、外部機器が生体データを受信した際の受信電力は、外部機器が返信するアクノリッジ信号と同時に返信され、アクノリッジ信号を受信することによって記憶部に記憶することができる。また、基準受信電力とは、外部機器が生体データを確実に受信するための受信電力、すなわち、生体データの受信時における最適な受信電力を規定するものである。外部環境等を考慮しなければ、一般的に、送信部が基準受信電力に相当する送信電力で送信した場合、外部機器は生体データを確実に受信できる。
【００３５】
従来、無線端末機における送信電力の最適化は、送受信時のエラーレートを基準に行っていた。ところが、この方法では、所定の容量のデータを送受信しない限り送信電力の最適化を図ることができないので、例えば、無線血糖計で測定した血糖値のような容量が非常に小さいデータを無線送信する場合には、送信電力の最適化を図ることができなかった。
【００３６】
そこで、本発明の生体試料測定装置においては、送信部が生体データの送信を行った際の送信電力、その送信に対するアクノリッジ信号受信の有無、外部機器が生体データを受信した際の受信電力を含む履歴情報と、外部機器の最適な受信電力である基準受信電力とを記憶しておき、その履歴情報と基準受信電力とに基づいて送信部が送信する際の送信電力を決定している。また、送信電力を決定する際には、所定の抽出条件を定めた送信電力決定規則に従って抽出された履歴情報と基準受信電力とに基づいて決定してもよい。
【００３７】
これにより、記憶部に記憶されている基準受信電力と、例えば、アクノリッジ信号を受信有りの直近の履歴情報とを比較して、送信部が送信する際の送信電力を決定することが可能となる。このため、例えば、無線血糖計と携帯端末との間で所定の容量のデータの送受信を行わなくても、記憶部に記憶されている履歴情報に基づいて、送信部が送信する際の送信電力を決定することが可能となる。
【００３８】
この結果、送信するデータの容量に関わらず、送信電力の最適化を図ることが可能となる。
【００３９】
第９の発明に係る生体試料測定装置は、第８の発明に係る生体試料測定装置であって、送信電力決定部は、送信電力決定規則に従って１つの履歴情報を抽出し、抽出された履歴情報における受信電力と基準受信電力とを比較して、受信電力の方が大きい場合には、抽出された履歴情報として記憶されている送信電力よりも小さくなるように送信部が送信する際の送信電力を決定し、受信電力の方が小さい場合には、抽出された履歴情報として記憶されている送信電力よりも大きくなるように送信部が送信する際の送信電力を決定する。
【００４０】
ここでは、アクノリッジ信号受信有りの履歴情報、すなわち、送信部が送信した生体データが確実に受信されたことを示す履歴情報のうち、例えば、直近の履歴情報を抽出している。そして、抽出した履歴情報に含まれている受信電力と基準受信電力とを比較した結果に基づいて、送信部が送信する際の送信電力を決定している。
【００４１】
ここで、送信部が送信する送信電力と外部機器が受信する受信電力とは、外部環境等によって異なる場合がある。そして、外部環境には、外部機器のバッテリ残量や外部機器が交換された場合等が考えられる。
【００４２】
これにより、受信側の外部機器が実際に生体データを受信した際の受信電力に基づいて、送信部が送信する際の送信電力を決定することができる。この結果、外部環境等により送信部が送信した際の送信電力と外部機器が受信した時の受信電力が異なる場合であっても適正に送信電力の最適化を図ることが可能となる。
【００４３】
第１０の発明に係る生体試料測定装置は、第８または第９の発明に係る生体試料測定装置であって、送信電力決定部は、送信電力決定規則に従って所定の個数の履歴情報を抽出し、抽出された履歴情報においてアクノリッジ信号受信有りの履歴情報が所定の個数以上ある場合、基準受信電力を記憶部に記憶されている値よりも小さくする。
【００４４】
ここでは、アクノリッジ信号受信有りの履歴情報、すなわち、送信部が送信した生体データが確実に受信されたことを示す履歴情報が所定の個数以上あった場合、送信電力決定部は、外部機器が受信する際の受信電力の出力が十分であると判断して、所定の値だけ基準受信電力を小さくしている。
【００４５】
なお、ここでいう、送信電力決定規則とは、履歴情報を抽出するための条件をいい、例えば、最新の履歴情報から順に抽出するといった条件や、生体データを測定している日と同じ時間や曜日を抽出するといった条件等がある。
【００４６】
ここで、送信部が送信する際の送信電力は、通信できる範囲で極力小さくする方が省電力化を図る上で有利である。すなわち、送信部が送信する際の送信電力は、基準受信電力に基づいて決定されていることから、基準受信電力を小さくすることによって送信部が送信する際の送信電力を小さくすることができる。
【００４７】
これにより、送信部が送信する際の送信電力を通信可能な範囲で小さくすることができるので、省電力化を図ることが可能となる。
【００４８】
第１１の発明に係る生体試料測定装置は、第８または第９の発明のいずれか１つに係る生体試料測定装置であって、送信電力決定部は、送信電力決定規則に従って所定の個数の履歴情報を抽出し、抽出された履歴情報においてアクノリッジ信号受信有りの履歴情報が所定の個数以上なかった場合、基準受信電力を記憶部に記憶されている値よりも大きくする。
【００４９】
ここでは、送信部が送信した生体データが確実に受信されたことを示す履歴情報が所定の個数以上なかった場合、送信電力決定部は、外部機器が受信する際の受信電力の出力が不十分であると判断して、所定の値だけ基準受信電力を大きくしている。
【００５０】
ここで、送信部が送信する際の送信電力は、基準受信電力に基づいて決定されていることから、基準受信電力を大きくすることによって送信部が送信する際の送信電力を大きくすることができる。
【００５１】
これにより、送信部が送信した生体データが確実に受信されるように、送信電力を最適に決定することが可能となる。例えば、無線血糖計と携帯端末との関係においては、携帯端末が無線血糖計より送信されるデータを確実に受信できるように、基準受信電力を最適に設定することができる。
【００５２】
第１２の発明に係る生体試料測定装置は、第１から第１１の発明のいずれか１つに係る生体試料測定装置であって、送信電力決定規則は、新しいものから順に履歴情報を抽出するように定められている。
【００５３】
ここでは、記憶部に記憶されている履歴情報のうち、新しいものから順に履歴情報を抽出するように、送信電力決定規則が定められている。
これにより、一般的に信頼性が高い直近の情報を反映することができるので、送信電力をより最適に決定することが可能となる。
【００５４】
第１３の発明に係る生体試料測定装置は、第１から第１２の発明のいずれか１つに係る生体試料測定装置であって、ここでは、記憶部に記憶されている履歴情報のうち、送信電力決定部における履歴情報の抽出時と同じ曜日の履歴情報を抽出するように、送信電力決定規則が定められている。
【００５５】
ここで、送信部が送信すべき最適な送信電力は、生体試料測定装置を使用する環境によって変化する。そして、生体試料測定装置の測定者は、一般的に、同じ曜日であれば、同じ場所、すなわち、同じ環境で使用する確率が高いと思われる。このため、履歴情報の抽出時、すなわち、生体試料測定装置による測定時と同じ条件（同じ曜日）に該当するアクノリッジ信号受信有りの履歴情報は、最適な送信電力である確率が高いと考えられる。
【００５６】
これにより、生体試料測定装置の使用環境を考慮することができるので、送信電力をより最適に決定することが可能となる。
【００５７】
第１４の発明に係る生体試料測定装置は、第１から第１３の発明のいずれか１つに係る生体試料測定装置であって、送信電力決定規則は、送信電力決定部における履歴情報の抽出時と同じ時間帯の履歴情報を抽出するように定められている。
【００５８】
ここでは、記憶部に記憶されている履歴情報のうち、送信電力決定部における履歴情報の抽出時と同じ時間帯の履歴情報を抽出するように、送信電力決定規則が定められている。
【００５９】
上述したように、生体試料測定装置の測定者は、一般的に、同じ時間帯であれば、同じ場所、すなわち、同じ環境で使用する確率が高いと思われる。また、同じ曜日、同じ時間帯であればその確率はさらに高くなると思われる。このため、履歴情報の抽出時、すなわち、無線血糖計による測定時と同じ条件（例えば、同じ時間帯）に該当するアクノリッジ信号受信有りの履歴情報は、最適な送信電力である確率が高いと言える。
【００６０】
これにより、生体試料測定装置の使用環境を考慮することができるので、送信電力をより最適に決定することが可能となる。
【００６１】
第１５の発明に係る生体試料測定装置は、第１から第１４の発明のいずれか１つに係る生体試料測定装置であって、送信電力決定部は、生体データ測定部によって測定された生体データが所定の範囲の値でない場合には、送信部が出力可能な最大の送信電力に決定する。
【００６２】
ここでは、生体データ測定部によって測定された生体データが所定の値よりも高い場合、送信部が出力可能な最大の送信電力で生体データを送信する。例えば、糖尿病患者が無線血糖計を使用する場合において、無線血糖計によって測定された血糖値が所定の値よりも高い場合は、携帯端末に対して送信部が出力可能な最大の送信電力で血糖値を送信する。
【００６３】
これにより、送信部が送信した生体データが、何らかの障害によって受信されない事態となる確率を下げることができる。例えば、無線血糖計によって測定された血糖値が所定の値よりも高い場合、すなわち、医師等が緊急に処置しなければならない場合に、携帯端末が血糖値を受信できない事態となる確率を下げることができる。
【００６４】
第１６の発明に係る生体試料測定装置は、第１から第１５の発明のいずれか１つに係る生体試料測定装置であって、生体データ測定部によって測定された生体データを表示する為の表示部と、測定者が各種動作設定を行う為の動作設定部と、警告音を出力する為の警告音出力部と、を有しているインタフェース部をさらに備えており、生体データ測定部によって測定された生体データが所定の値よりも低い場合、警告音出力部から警告音を出力するとともに表示部に緊急ステータスを表示する。
【００６５】
ここでは、生体データ測定部によって測定された生体データが所定の値よりも低い場合、警告音出力部が、警告音を出力するとともに、表示部に、何らかのメッセージを表示する。
【００６６】
ここで、糖尿病患者にとって血糖値が所定の値よりも低くなると危険な状態となり、場合によっては、意識障害を発生することもある。
そこで、例えば、糖尿病患者が無線血糖計を用いて血糖値を測定した時、その値が所定の値よりも低い場合には、警告音出力部が、警告音を出力するとともに、表示部に、例えば、低血糖に対する対処法等を表示する。
【００６７】
これにより、測定者自身に、あるいは、生体試料測定装置の測定者の周囲の人に測定者が危険な状態であることを知らせることが可能となる。また、例えば、無線血糖計を使用する測定者が意識障害に陥った場合においても、周囲の者が、表示部に表示された対処法等を見ながら適切に対処することが可能となる。
【００６８】
第１７の発明に係る生体試料測定装置は、第１６の発明に係る生体試料測定装置であって、緊急ステータスは、電話番号である。
ここでは、測定者にとって非常に危険な状態にある場合、表示部に電話番号を表示するようにしている。
【００６９】
これにより、例えば、無線血糖計を使用する測定者が意識障害に陥った場合においても、周囲の者が、表示部に表示された電話番号を見て、例えば、その患者の家族や担当医師に即座に連絡することが可能となる。
【００７０】
第１８の発明に係る生体試料測定装置は、第１６または第１７の発明に係る生体試料測定装置であって、緊急ステータスは、低血糖に対する対処方法である。
ここでは、測定者にとって非常に危険な状態にある場合、表示部に対処方法を表示するようにしている。
【００７１】
これにより、例えば、無線血糖計を使用する測定者が意識障害に陥った場合においても、測定者の周囲の者が、表示部に表示された対処法等を見ながら適切に対処することが可能となる。
【００７２】
第１９の発明に係る生体試料測定装置は、第１から第１８の発明のいずれか１つに係る生体試料測定装置であって、生体データ測定部が血糖値を測定する構成とした無線血糖計である。
【００７３】
これにより、無線血糖計と携帯端末との間で所定の容量のデータの送受信を行わなくても、例えば、記憶部に記憶されているアクノリッジ信号受信有り、すなわち、無線血糖計と携帯端末との間で相互に通信が可能であった履歴情報における送信電力を、送信部が送信する際の送信電力として決定することが可能となる。
【００７４】
この結果、送信するデータの容量に関わらず、送信電力の最適化を図ることが可能となる。
【００７５】
第２０の発明に係る生体試料測定システムは、生体試料測定装置と、外部機器とを備えている。生体試料測定装置は、第８から第１１の発明のいずれか１つに係る生体試料測定装置である。外部機器は、外部受信部と、誤り検出部と、外部送信部と、受信電力判定部と、送信電力選択部とを有している。外部受信部は、生体試料測定装置から送信された生体データを受信する。誤り検出部は、外部受信部が生体データを正常に受信したか否かを判定する。外部送信部は、誤り検出部が生体データを正常に受信したと判定した時に生体試料測定装置に対してアクノリッジ信号を送信する。受信電力判定部は、外部受信部が生体データを受信した際の受信電力を測定し、所定の値と比較する。送信電力選択部は、受信電力判定部の判定結果に基づいて外部送信部の送信電力を選択する。
【００７６】
これにより、生体試料測定装置において、確実にアクノリッジ信号が受信出来るようにすることが可能となる。
【００７７】
第２１の発明に係る生体試料測定システムは、第２０の発明に係る生体試料測定システムであって、送信電力選択部は、受信電力判定部が、外部受信部が生体データを受信した際の受信電力が所定の値よりも小さいと判定した時に、外部送信部における送信電力として最大電力を選択する。
【００７８】
これにより、生体試料測定装置から外部機器に対して正常にデータを送信出来たにもかかわらず、生体試料測定装置において、アクノリッジ信号が受信出来ないということが無くなる。
【発明の効果】
【００７９】
本発明に係る生体試料測定装置およびこれを備えた生体試料測定システムによれば、送信するデータの容量に関わらず、送信電力の最適化を図ることが可能となる。
【発明を実施するための最良の形態】
【００８０】
［第１の実施形態］
本発明の一実施形態に係る無線血糖計（生体試料測定装置）２について、図１〜図１２を用いて説明すれば以下の通りである。
【００８１】
［無線血糖計２の構成］
無線血糖計２による血糖値（生体データ）の測定は、１日に８回程度行われている。無線血糖計２の測定者は、電気化学式で使い捨て式のバイオセンサ１を無線血糖計２に接続し、血液をバイオセンサ１に点着する。
【００８２】
無線血糖計２は、接続されたバイオセンサ１から血糖値を検出し、医師等が患者の測定データを収集する携帯端末（外部機器）３に検出した血糖値のデータを送信する。携帯端末３は、無線血糖計２から血糖値のデータを受信すると、無線血糖計２に対してアクノリッジ信号を送信する。
【００８３】
［無線血糖計２の内部動作の説明］
次に、図１の本発明の実施形態における無線血糖計と周辺デバイスのブロック図を用いて、無線血糖計２の内部動作を説明する。
【００８４】
無線血糖計２は、図１に示すように、血糖値検出部（生体データ測定部）２１と、送信部２２と、受信部２３と、記憶部２４と、送信電力決定部２５と、インタフェース部２６とを有している。
【００８５】
血糖値検出部２１は、バイオセンサ１に点着された血液から血糖値を計測する。そして、計測した血糖値を送信部２２、送信電力決定部２５およびインタフェース部２６に転送する。
【００８６】
送信電力決定部２５は、血糖値検出部２１から出力された血糖値および記憶部２４に格納された履歴情報から送信電力を決定する。
送信部２２は、送信電力決定部２５によって決定された送信電力で血糖値検出部２１が検出した血糖値データを送信する。
【００８７】
ここで、携帯端末３は、送信部２２から送信された血糖値データを受信するとアクノリッジ信号を送信する。
受信部２３は、携帯端末３からのアクノリッジ信号を受信するとアクノリッジ信号受信有りの情報を送信部２２に対して出力する。
【００８８】
記憶部２４は、受信部２３がアクノリッジ信号を受信できた場合には、送信部２２が送信した送信電力および携帯端末３からのアクノリッジ信号受信有りの情報を履歴情報として記憶する。また、送信部２２が携帯端末３に対して血糖値を送信したにもかかわらず、受信部２３が６００ｍｓ間にアクノリッジ信号を受信できなかった場合には、送信部２２が送信した際の送信電力およびアクノリッジ信号受信無しの情報を履歴情報として記憶する。そして、受信部２３が、アクノリッジ信号を受信できなかった場合、送信部２２は、送信電力を送出できる最大の値に設定して血糖値データを携帯端末３に再送する。なお、血糖値データの再送は、受信部２３がアクノリッジ信号を受信できるまで最大５回行われるが、再送に対するアクノリッジ信号受信の情報および送信部２２の送信電力は記憶部２４に記憶されない。
【００８９】
インタフェース部２６は、測定者が、無線血糖計２を操作する場合のインタフェースを担う部分であって、例えば、動作設定部２６１や、表示部２６２を有している。なお、インタフェース部２６については後段にて詳述する。
【００９０】
無線血糖計２は、上記のような構成により、無線血糖計２と携帯端末３との間で所定の容量のデータの送受信を行わなくても、記憶部２４に記憶されているアクノリッジ信号受信有りの履歴情報における送信電力を、送信部２２の送信時における送信電力として決定することが可能となる。この結果、送信するデータの容量に関わらず、送信電力の最適化を図ることを可能としている。
【００９１】
［無線血糖計２の内部ブロックの説明］
以下、無線血糖計２の内部ブロックの詳細な説明を行う。
（血糖値検出部２１）
図２の血糖値検出部２１のブロック図を用いて、血糖値検出部２１の詳細な説明を行う。
【００９２】
血糖値検出部２１は、図２に示すように、コネクタ２１１と、演算増幅器２１２と、帰還抵抗２１３と、Ａ／Ｄ変換回路２１５と、演算回路２１６とを有している。
ここで、バイオセンサ１は、使い捨て式かつ電気化学式であって、作用極１１と、対極１２と、反応体１３とを有している。作用極１１は、バイオセンサ１をコネクタ２１１に挿入したとき、電極２１１１と接触する。対極１２は、バイオセンサ１をコネクタ２１１に挿入したとき、電極２１１２と接触する。反応体１３は、酵素やメディエータ等から形成されている。反応体１３に血液を点着すると、反応体１３が血液に溶解して酵素反応が進行する。
【００９３】
コネクタ２１１は、バイオセンサ１を挿入するための挿入口であって、電極２１１１と、電極２１１２とを有している。コネクタ２１１にバイオセンサ１が挿入されると、電極２１１１は、バイオセンサ１に含まれる作用極１１と接触し、電極２１１２は、バイオセンサ１に含まれる対極１２と接触する。
【００９４】
演算増幅器２１２は、バイオセンサ１の作用極１１に接する電極２１１１とバイオセンサ１の対極１２に接する電極２１１２とを介して作用極１１と対極１２に電圧を印加する。このとき、血液中の糖濃度と相関のある電流が、帰還抵抗２１３を通してバイオセンサ１に流れる。ここで、演算増幅器２１２の非反転入力端子２１２２は、基準電位２１４に接続されている。そして、演算増幅器２１２は、非反転入力端子２１２２と反転入力端子２１２１とを同電位に保とうと制御するので、帰還抵抗２１３の電流による降下分の電位に基準電位２１４を加算した電圧が出力端子２１２３に発生する。これにより、バイオセンサ１に流れる電流に比例した電圧が出力端子２１２３に発生し、電流−電圧変換を行うことが出来る。
【００９５】
Ａ／Ｄ変換回路２１５は、出力端子２１２３に発生した電圧をデジタル値に変換する。そして、Ａ／Ｄ変換回路２１５は、変換されたデジタル値を演算回路２１６に送信する。
演算回路２１６は、Ａ／Ｄ変換回路から送られるデジタル値を演算する。これにより、バイオセンサ１に流れた電流値から血中の糖濃度が計算することが可能となる。そして、演算回路２１６は、計算した糖濃度を送信部２２およびインタフェース部２６に転送する。
【００９６】
なお、血中の糖濃度を得るに際しては、例えば次のような処理がなされる。
すなわち、予め工場で、コネクタ２１１の電極２１１１と電極２１１２との間に、低糖濃度および高糖濃度に相当する電流を発生する２つの定電流源をそれぞれ接続し、各々のＡ／Ｄ変換値から、電流値とデジタル値との一次変換式を演算回路２１６で求めておく。その一次式の傾きａと切片ｂとは、前述のＡ／Ｄ変換回路２１５から出力されるデジタル値と糖濃度とを関連づける情報であり、これを記憶部２４に記憶しておく。そして、測定者が血糖値を測定する時には、演算回路２１６は、Ａ／Ｄ変換回路２１５から得られるデジタル値を、記憶部２４に記憶した一次式に当てはめることにより血中の糖濃度を計算する。そして、算出された血糖値は、送信部２２、送信電力決定部２５およびインタフェース部２６に転送される。また、送信電力決定部２５に対して送信電力算出の為の起動パルスが生成される。
【００９７】
（送信部２２）
次に、図３の送信部２２のブロック図、図４の送信部２２の制御フローチャートを用いて、送信部２２の詳細な説明を行う。
【００９８】
送信部２２は、図３に示すように、送信制御回路２２１と、最適電力保持レジスタ２２２と、最大電力保持レジスタ２２３と、送信回路２２５とを有している。
送信制御回路２２１は、セレクタ２２４，送信回路２２５を制御する。
【００９９】
最適電力保持レジスタ２２２は、送信電力決定部２５から出力された最適電力を保持している。
最大電力保持レジスタ２２３は、無線血糖計２が送りうる最大の送信電力を保持している。
【０１００】
セレクタ２２４は、送信回路２２５に出力する電力を、最適電力保持レジスタ２２２と最大電力保持レジスタ２２３との間で切り換える。
送信回路２２５は、血糖値検出部２１から送信された血糖値データを、セレクタ２２４から送信された電力で携帯端末３に送信する。
【０１０１】
送信制御回路２２１は、最適電力保持レジスタ２２２に最適電力が書き込まれると、最適電力保持レジスタ２２２に格納された最適電力が送信回路２２５に出力されるようにセレクタ２２４を切り替える。また、送信制御回路２２１は、血糖値検出部２１から出力された血糖値を携帯端末３に送信するように送信回路２２５に指示する。これにより、送信回路２２５は、血糖値検出部２１から出力された血糖値を最適電力で携帯端末３に送信することができる。送信回路２２５は、測定データに誤り検出符号を付加したものを変調して送信データとし、その先頭にプリアンブルパターンとシンクパターンを付加して、携帯端末３に対して送信する。そして、送信制御回路２２１は、送信回路２２５への送信の指示後、内部のタイマーでカウントを開始する。なお、携帯端末３は、血糖値データを受信してから５００ｍｓ後にアクノリッジ信号を送信する。そして、送信制御回路２２１は、送信後１００ｍｓで受信部２３に対して受信開始を指示し、送信開始後６００ｍｓで受信部２３の受信を終了させる。
【０１０２】
次に、送信制御回路２２１は、受信部２３にアクノリッジ信号受信の有無の情報を確認する。そして、受信部２３が、携帯端末３からのアクノリッジ信号を受信できていた場合、送信制御回路２２１は、携帯端末３に対して血糖値の送信を終了させるように送信回路２２５に指示する。この時、送信制御回路２２１は、インタフェース部２６から入力された曜日と時間との情報を用いて、「送信した曜日、送信開始時間、送信時の送信電力、アクノリッジ信号受信の有無の情報」を履歴情報として記憶部２４に記憶させる。
【０１０３】
一方、受信部２３が、携帯端末３からのアクノリッジ信号を受信できていなかった場合、送信制御回路２２１は、最大電力保持レジスタ２２３に格納された値が、送信回路２２５に入力されるようにセレクタ２２４を切り替える。そして、送信制御回路２２１は、送信回路２２５に血糖値の再送信を指示する。これにより、送信回路２２５は、血糖値検出部２１から出力された血糖値を無線血糖計２が送り得る最大の送信電力で携帯端末３に送信することができる。
【０１０４】
なお、送信回路２２５による血糖値の再送信は、５回を限度に初回の送信と同様に行われる。ところが、上述の各種情報を履歴情報として記憶部２４へ記憶させない。
そして、送信回路２２５によって、５回の血糖値の再送信を行った結果、一度も携帯端末３からのアクノリッジ信号が受信できなかった場合、送信制御回路２２１は、送信回路２２５に対して血糖値の送信を終了するように指示する。
【０１０５】
（受信部２３）
次に、図５の受信部２３のブロック図、図６の受信部２３の制御フローチャートを用いて、受信部２３の詳細な説明を行う。
【０１０６】
受信部２３は、図５に示すように、受信制御回路２３１と、受信回路２３２と、プリアンブル検出回路２３３と、シンクパターン検出回路２３４と、復調回路２３５と、受信レジスタ２３６と、誤り検出回路２３７とを有している。
【０１０７】
受信制御回路２３１は、送信部２２からの受信開始命令を受けて、受信回路２３２を制御する。
受信回路２３２は、受信した信号から搬送波の検出、ゲインコントロールや中間周波数への変換等の処理を行い、処理後のデータをプリアンブル検出回路２３３、シンクパターン検出回路２３４、復調回路２３５に転送する。
【０１０８】
プリアンブル検出回路２３３は、プリアンブルパターンの検出を行う。そして、プリアンブルパターンを検出すると、プリアンブル検出回路２３３は、シンクパターン検出回路２３４に起動パルスを出力する。
【０１０９】
シンクパターン検出回路２３４は、プリアンブル検出回路２３３からの起動パルスにより、受信回路２３２から出力される受信データからシンクパターンの検出を行う。
復調回路２３５は、シンクパターン検出回路２３４が検出したシンクパターンを基準に受信データの復調を行う。
【０１１０】
受信レジスタ２３６は、復調回路２３５によって復調された受信データを記憶する。そして、誤り検出回路２３７は、受信データに対して誤り検出を行い、その結果を受信制御回路２３１に出力する。
【０１１１】
受信制御回路２３１は、誤り検出回路２３７から結果通知を受け取ると、受信データに誤りが検出されなくて、かつ、受信データの所定の領域にアクノリッジ信号を示すコードが存在していた場合にアクノリッジ信号受信有り、それ以外は、アクノリッジ信号受信無しの情報を送信部２２に対して出力し、受信動作を終了する。また、受信制御回路２３１は、送信部２２から受信終了信号を受け取った場合でも受信動作を終了する。
【０１１２】
（記憶部２４）
次に、図７の記憶部２４のブロック図、図８の送信電力および血糖値の格納フォーマット、図９の記憶部２４の制御フローチャートを用いて、記憶部２４の詳細な説明を行う。
【０１１３】
記憶部２４は、図７に示すように、メモリ２４１と、メモリ制御回路２４２と、調停回路２４３と、条件判別回路２４４と、カレントポインタ２４５と、アドレス生成回路２４６と、データレジスタ２４７とを有している。
【０１１４】
記憶部２４にデータの読み書きを行うブロックとしては、図７に示すように、血糖値検出部２１、送信部２２、送信電力決定部２５がある。なお、送信電力決定部２５から記憶部２４へは特殊なアクセスを行うので後段にて詳述する。
【０１１５】
血糖値検出部２１には、血糖値を求める為に必要なパラメータが工場出荷時に記憶部２４の不揮発性メモリに格納されている。また、血糖値測定時には、電圧値から血糖値への変換を行う為に工場出荷時に格納されたパラメータの読み出しを行う。
【０１１６】
送信部２２は、血糖値データ送信時において、図８に示すフォーマットに従って各情報（曜日、送信時間（ｈ）、アクノリッジ信号受信の有無（ＡＣＫ）、送信電力、血糖値）を格納する。
【０１１７】
調停回路２４３は、血糖値検出部２１および送信部２２からのメモリアクセス要求を調停し、メモリアクセス要求を出力したブロックの１つにメモリアクセス権を割り当てる。そして、メモリアクセス権が割り当てられたブロックは、メモリリードであるかメモリライトであるかのアクセス方向の情報がメモリライトであれば、ライトデータを記憶部２４に転送する。
【０１１８】
データレジスタ２４７は、メモリ２４１に対するライトデータおよびリードデータを一時的に格納する。
メモリ制御回路２４２は、メモリ２４１に対する制御信号を生成する。そして、メモリ制御回路２４２は、アクセス方向の情報がそれぞれ供給されると、メモリ２４１に対するアクセス制御を行う。
【０１１９】
メモリ２４１は、データを記憶する、例えば、ＥＥＰＲＯＭやＳＤＲＡＭ等のメモリである。なお、メモリ２４１は、血糖値を求める為のパラメータを工場出荷時にメモリに保存する為、その構成は、不揮発性メモリのみ、または、（不揮発性メモリ＋揮発性メモリ）の構成となる。そして、メモリライトアクセスの場合は、メモリ制御回路２４２の制御によってアドレス生成回路２４６およびデータレジスタ２４７からそれぞれライトアドレスおよびライトデータがメモリ２４１に対して出力され、メモリ２４１にデータがライトされた時点で処理が終了する。一方、メモリリードアクセスの場合には、メモリ２４１から読み出されたデータが、データレジスタ２４７に一時的に格納される。そして、メモリアクセスを行ったブロックにデータレジスタ２４７に格納されているリードデータが転送されてメモリリードの処理が終了する。
【０１２０】
メモリ２４１へのメモリアクセスが、例えば、送信部２２からのメモリライトであった場合には、メモリ２４１のカレントポインタ２４５が示すアドレスに対して曜日、送信時間（ｈ）、アクノリッジ信号受信の有無、送信電力、血糖値のデータを書き込み後、カレントポインタ２４５の値を４バイト分増加させる。そして、カレントポインタ２４５を４増加させる前の時点で、カレントポインタ２４５の値が、図８のＤＡＴＡ２５５の先頭を示していた場合には、カレントポインタ２４５の値をＤＡＴＡ０の先頭を示す値に変更する。
【０１２１】
次に、送信電力決定部２５が、記憶部２４からデータを読み出す場合の動作について説明する。
送信電力決定部２５から記憶部２４に対するメモリアクセス要求信号は、調停回路２４３によって調停される。そして、メモリアクセス権が送信電力決定部２５に与えられた場合、条件判別回路２４４は、インタフェース部２６において入力された抽出条件（送信電力決定規則）に基づいて、記憶部２４に記憶されたのと逆順、すなわち、現在に最も近いものから順に検索して、データの抽出を行う。具体的には、例えば、抽出条件が、現在の測定時と同じ曜日、同じ時間帯の履歴情報を抽出するように設定されている場合には、条件判別回路２４４が、使用時における現在と同じ曜日のデータ、同じ時間帯のデータ、曜日と時間帯に関係のないデータあるいは同じ曜日の同じ時間帯のデータであるかを判断する。
【０１２２】
ここでは、無線血糖計２の測定者は、一般的に、同じ曜日、同じ時間であれば、同じ場所、すなわち、同じ環境で使用する確率が高いという経験則に基づいて、履歴情報を抽出している。これにより、使用環境に応じて送信部２２が送信する際の送信電力を決定することができる。
【０１２３】
そして、送信電力決定部２５は、抽出条件にあう履歴情報が５組見つかるか、または、全履歴情報のチェックが終了するまで記憶部２４にメモリアクセスを続ける。
アドレス生成回路２４６は、送信電力決定部２５のアクセスが開始されると現在のカレントポインタ２４５の値を保存した後、メモリアクセスごとにカレントポインタ２４５の示す値からアドレスの小さい方向に向かって４バイト分のアドレスをメモリアドレスとしてメモリ制御回路２４２に出力する。
【０１２４】
メモリ制御回路２４２は、アドレス生成回路２４６から受け取ったメモリアドレスを用いてメモリ２４１から４バイトのデータを読み出す。そして、読み出されたデータはデータレジスタ２４７に格納される。
【０１２５】
条件判別回路２４４は、データレジスタ２４７に格納されたデータを解析し、インタフェース部２６から受け取った履歴条件に合うかどうかの判定を行う。条件判別回路２４４は、履歴条件に合うデータが５組に満たない場合は、送信データに関する情報を格納するメモリのアドレスを管理するメモリカレントポインタ２４５の値を４バイト分ずつ減算しながらメモリリードを繰り返す。ただし、全ての履歴情報のリードが完了した場合は、履歴条件にあうデータが５組に満たない場合でもアクセスを終了する。なお、アクセス終了時には、カレントポインタ２４５の値は、アクセス開始時に保存していた値に戻しておく。
【０１２６】
（送信電力決定部２５）
次に、図１０の送信電力決定部２５のブロック図、図１１の送信電力決定部２５の制御フローチャートを用いて、送信電力決定部２５の詳細な説明を行う。
【０１２７】
送信電力決定部２５は、図１０に示すように、送信電力制御回路２５１と、変換テーブル２５２と、送信電力セレクタ２５３と、送信電力レジスタ２５４とを備えている。
送信電力制御回路２５１は、変換テーブル２５２と送信電力制御回路２５１との制御を行う。
【０１２８】
変換テーブル２５２は、送信電力制御回路２５１が出力した電力に対して２ｄＢｍ大きい値あるいは２ｄＢｍ小さい値の電力を出力する。
送信電力セレクタ２５３は、送信電力レジスタ２５４に格納する送信電力を切り換える。
【０１２９】
送信電力レジスタ２５４は、最適電力として格納された送信電力を送信部２２に対して出力する。
なお、図１１の制御フローチャート中のＮＡは、記憶部２４から読み出した履歴情報においてアクノリッジ信号の受信が無かった履歴情報の個数を示すカウント値を示している。
【０１３０】
送信電力制御回路２５１は、血糖値検出部２１から血糖値データおよび起動パルスが出力されると、血糖値が４００ｍｇ／ｄｌ以上かどうかのチェックを行う。
そして、血糖値が４００ｍｇ／ｄｌ以上の場合、送信電力制御回路２５１は、送信電力セレクタ２５３を切り替えて最大送信電力を送信電力レジスタ２５４に格納させる。そして、送信電力レジスタ２５４は、最適電力として格納された最大送信電力を送信部２２に対して出力する。これにより、医師等が緊急に処置しなければならない状況において、送信電力不足による送信の失敗を少なくすることを可能としている。
【０１３１】
一方、血糖値が４００ｍｇ／ｄｌより小さい場合、送信電力制御回路２５１は、記憶部２４に対してメモリアクセス要求を行う。記憶部２４においてメモリアクセス要求が受け付けられて、記憶部２４から送信電力制御回路２５１に履歴情報がリードデータとして転送されると、送信電力制御回路２５１は、履歴情報に含まれるアクノリッジ信号受信の有無の情報をチェックして、受け取った履歴情報においてアクノリッジ信号の受領が無かったものの数をＮＡ（ＮＯ  ＡＣＫ）としてカウントする。
【０１３２】
ＮＡが０の場合は、抽出された履歴情報が全てアクノリッジ信号を受信できているので、送信電力が必要以上に高い可能性がある。そこで、履歴情報に含まれる最も新しい送信電力（最新送信電力）が最小電力として規定している−５ｄＢｍ（初期電力−５ｄＢｍのことを示す）以下でなければ、送信電力制御回路２５１は、最新送信電力よりも２ｄＢｍ小さい値が出力されるように送信電力セレクタ２５３を切り替えて、送信電力レジスタ２５４に格納させる。一方、最新送信電力が最小電力として規定している−５ｄＢｍ以下であれば、送信電力制御回路２５１は、最小電力として規定している−５ｄＢｍで出力されるように送信電力セレクタ２５３を切り替えて、送信電力レジスタ２５４に格納させる。
【０１３３】
これにより、送信部２２が送信する際の送信電力を携帯端末３と無線血糖計２との通信が可能な範囲で小さくすることができるので、省電力化を図ることができる。
ＮＡが１以上、かつ、最も新しい履歴情報がアクノリッジ信号を受信して無かった場合（図１１において「最新履歴はＡＣＫ無」と表記）、送信電力が必要な電力よりも低い可能性がある。そこで、履歴情報に含まれる最も新しい送信電力が最大電力として規定している＋５ｄＢｍ（初期電力＋５ｄＢｍのことを示す）以上でなければ、送信電力制御回路２５１は、その送信電力よりも２ｄＢｍ大きい値が出力されるように送信電力セレクタ２５３を切り替えて、送信電力レジスタ２５４に格納させる。一方、履歴情報に含まれる最も新しい送信電力が最大電力として規定している＋５ｄＢｍ以上であれば、送信電力制御回路２５１は、最大電力として規定している＋５ｄＢｍで出力されるように送信電力セレクタ２５３を切り替えて、送信電力レジスタ２５４に格納させる。
【０１３４】
また、ＮＡが１以上、かつ、最も新しい履歴情報がアクノリッジ信号を受信していた場合、履歴情報に含まれる最も新しい送信電力を送信電力レジスタ２５４に格納させるように、送信電力セレクタ２５３は送信電力制御回路２５１が出力した電力を選択する。
【０１３５】
これにより、携帯端末３が無線血糖計２より送信されるデータを確実に受信できるように、送信部２２が送信する際の送信電力をより最適に決定することができる。
このように、抽出条件にあった中で最新の５組の履歴情報の中にＮＡが含まれているかどうかで送信電力の増減を決めている。なお、無線血糖計２の使用を開始した時や、ソフトウエアリセット等により記憶部２４に履歴情報が記憶されていない時には、送信電力セレクタ２５３が初期電力を選択するようにする。ここで、初期電力とは、通常使用を想定した場合に電波が届く必要十分な電力であり、例えば、最大送信電力と通信可能な最小送信電力との中間値とする。
【０１３６】
そして、送信電力レジスタ２５４は、最適電力として格納された電力を送信部２２に対して出力する。
（インタフェース部２６）
次に、図１２にインタフェース部２６のブロック図を用いて、インタフェース部２６の詳細な説明を行う。
【０１３７】
測定者は、表示部２６２に表示された設定項目を確認しながら動作設定部２６１を用いて設定を行う。その際、設定項目としては、曜日、時間や送信電力を決定する為の履歴条件（同じ曜日のデータ、同じ時間帯のデータ、曜日と時間帯に関係のないデータ、あるいは、同じ曜日の同じ時間帯のデータを履歴情報として用いるかを設定する）等の情報がある。
【０１３８】
そして、動作設定部２６１によって設定された履歴条件は、送信電力決定部２５に対して出力される。一方、曜日および時間は、時間管理部２６４に対して出力される。
時間管理部２６４は、設定された情報をもとに現在の曜日、時間を管理する。時間管理部２６４において管理される曜日、時間の情報は、送信部２２に対して出力される。
【０１３９】
表示部２６２は、血糖値検出部２１によって血糖値が算出されると、算出された血糖値を表示する。また、算出された血糖値が５０ｍｇ／ｄｌ以下であった場合、測定者（糖尿病患者）は非常に危険な状態にあるので、測定者を含む周囲の人に危険を知らせる為に警告音出力部２６３が警告音を出力する。また、測定者が意識障害を起こした場合を考慮して、表示部２６２は緊急連絡先の電話番号や、糖分を補給する等の応急手当に関する情報を表示する。
【０１４０】
これにより、無線血糖計２の測定者の周囲の人に測定者が危険な状態であることを知らせることが可能となる。また、無線血糖計２を使用する測定者が意識障害に陥った場合においても、周囲の者が、表示部２６２に表示された電話番号をみて即座に緊急連絡先に連絡したり、表示部２６２に表示された対処法等を見ながら適切に対処したりすることが可能となる。
【０１４１】
［第２の実施形態］
本発明の一実施形態に係る無線血糖計２について、図１３〜図１７を用いて説明すれば以下の通りである。なお、本実施形態は、送信部２２が送信する送信電力を算出するのに、ノイズ電力取得部（雑音電力測定部）２８を設け、ノイズ電力取得部２８において測定したノイズ電力も考慮した点において、第１の実施形態と異なる。よって、ここでは、第１の実施形態と共通する点についてはその説明を省略し、第１の実施形態とは異なる、受信部２３の制御フロー、メモリ２４１へのデータ格納フォーマット、送信電力決定部２５について詳細に説明を行う。
【０１４２】
（受信部２３）
図１３の受信部２３のブロック図、図１４の受信部２３の制御フローチャートを用いて、第１の実施形態における受信部２３と異なる点について説明を行う。
【０１４３】
なお、図１３は、第１の実施形態（図５参照）に対して、ノイズを受信するノイズ電力取得部２８が追加されている。
ノイズ電力取得部２８は、設置されている周囲のノイズ電力を取得し、送信部２２に出力する。
【０１４４】
これにより、送信部２２が送信する際の送信電力を決定するにあたって雑音電力による影響を考慮することができようにしている。
また、図１４は、第１の実施形態（図６参照）に対して、新たにノイズを受信する為の制御フローが追加されている。
【０１４５】
最初に、送信制御回路２２１からのノイズ受信開始命令によって、受信制御回路２３１はノイズ電力取得部２８の動作を開始させる。そして、ノイズ電力取得部２８は、通信に使用する周波数帯域の受信電力を測定する。受信制御回路２３１は、送信制御回路２２１からのノイズ受信終了命令が入力されるとノイズ電力取得部２８の動作を停止させる。そして、ノイズ電力取得部２８は、送信電力決定部２５に対して受信したノイズの電力を出力する。
【０１４６】
（記憶部２４）
記憶部２４において、第１の実施形態（図８参照）との違いは、図１５に示すように、ノイズ電力がメモリ２４１に格納されたことである。
【０１４７】
（送信電力決定部２５）
図１６の送信電力決定部２５のブロック図、図１７の送信電力決定部２５の制御フローチャートを用いて、第１の実施形態における送信電力決定部２５と異なる点について説明を行う。
【０１４８】
なお、図１６は、第１の実施形態（図１０参照）に対して、変換テーブル２５２が削除され、最適電力を算出する電力演算回路２５５およびノイズ電力取得部２８から出力されたノイズ電力を格納するノイズ電力レジスタ２５６が追加されている。
【０１４９】
血糖値検出部２１から血糖値データおよび起動パルスが出力されると、ノイズ電力取得部２８から出力されたノイズ電力は、ノイズ電力レジスタ２５６に格納される。次に、送信電力制御回路２５１は、血糖値が４００ｍｇ／ｄｌ以上かどうかのチェックを行う。
【０１５０】
そして、血糖値が４００ｍｇ／ｄｌ以上の場合は、緊急に医師等が処置する必要があるので、送信電力レジスタ２５４は、送信電力セレクタ２５３を切り替えて最大送信電力を最適電力として送信部２２に出力する。
【０１５１】
一方、血糖値が４００ｍｇ／ｄｌより小さい場合は、送信電力制御回路２５１は、記憶部２４に対してメモリアクセス要求を行う。そして、記憶部２４においてメモリアクセス要求が受け付けられると、記憶部２４から送信電力制御回路２５１に履歴情報がリードデータとして転送される。
【０１５２】
ここで、送信電力に対するノイズ電力の比を雑音比（Ｓ／Ｎ比の逆数）とする時、電力演算回路２５５は、電力演算回路２５５の出力に対するノイズ電力レジスタ２５６の雑音比が、最も新しい履歴情報の送信電力に対するノイズ電力の雑音比の０．９倍、１．０倍、１．１倍（図１６において、「ｘ０．９」、「ｘ１．０」、「ｘ１．１」と表記）になるように電力を出力する。また、送信電力制御回路２５１は、履歴情報に含まれるアクノリッジ信号受信の有無の情報をチェックして、受け取った履歴情報においてアクノリッジ信号受領が無かったものの数をＮＡ（ＮＯ  ＡＣＫ）としてカウントする。
【０１５３】
ＮＡが０の場合、抽出された履歴情報において全てアクノリッジ信号が受信できているので、送信電力が必要以上に高い可能性がある。そこで、送信電力制御回路２５１は、電力演算回路２５５が算出した１．１倍の値が送信電力レジスタ２５４に格納されるように送信電力セレクタ２５３を切り替える。
【０１５４】
ただし、送信電力を低くし過ぎるとデータの送信が正常に出来なくなる可能性がある。そのために、送信電力の下限を定めなければならない。ここでは、最も新しい履歴情報の送信電力が最小電力と規定している−５ｄＢｍ（初期電力−５ｄＢｍのことを示す）以下の場合には、送信電力がそれよりさらに低くならないようにするため、送信電力制御回路２５１は、電力演算回路２５５が算出した１．０倍の値が送信電力レジスタ２５４に格納されるように送信電力セレクタ２５３を切り替える。
【０１５５】
これにより、送信部２２が送信する際の送信電力を携帯端末３と無線血糖計２との通信が可能な範囲で小さくすることができるので、省電力化を図ることができる。
ＮＡが１以上、かつ、履歴情報に含まれる最も新しい履歴情報がアクノリッジ信号を受信して無かった場合（図１７において「最新履歴はＡＣＫ無」と表記）、送信電力が必要な電力よりも低い可能性がある。そこで、送信電力制御回路２５１は、電力演算回路２５５が算出した０．９倍の値が送信電力レジスタ２５４に格納されるように送信電力セレクタ２５３を切り替える。
【０１５６】
ただし、送信電力を高くしてもデータの送信が正常に出来ない場合もある。その時には、送信電力を過剰に高くすることは好ましくない。そのために、送信電力の上限を定める。ここでは、最も新しい履歴情報の送信電力が最大電力と規定している＋５ｄＢｍ（初期電力＋５ｄＢｍのことを示す）以上の場合には、送信電力がそれよりさらに高くならないようにするため、送信電力制御回路２５１は、電力演算回路２５５が算出した１．０倍の値が送信電力レジスタ２５４に格納されるように送信電力セレクタ２５３を切り替える。
【０１５７】
これにより、携帯端末３が無線血糖計２より送信されるデータを受信できるように、送信部２２が送信する際の送信電力をより最適に決定することができる。
そして、上記以外の場合、即ち、ＮＡが１以上で最も新しい履歴情報がアクノリッジ信号を受信していた場合には、送信電力制御回路２５１は、電力演算回路２５５が算出した１．０倍の値が送信電力レジスタ２５４に格納されるように送信電力セレクタ２５３を切り替える。これにより、最適電力が送信部２２に供給される。なお、記憶部２４に履歴情報が記憶されていない場合には、初期電力が選択されるのは図１０と同じである。
【０１５８】
［第３の実施形態］
本発明の一実施形態に係る血糖値測定システム（生体試料測定システム）４について、図１８〜図２１を用いて説明すれば以下の通りである。なお、本実施形態が第１の実施形態と異なる点は、携帯端末（外部機器）３から無線血糖計２に対して送信されるアクノリッジ信号の中に、携帯端末３が無線血糖計２からデータを受信した際の受信電力が含まれているところである。それに伴い、第１の実施形態１と異なるのは、記憶部２４においてメモリ２４１に格納するデータのフォーマットと、このメモリ２４１へのアクセスの方法と、送信電力の決定の方法となる。ここでは、これらの点について詳細に説明し、これら以外の第１の実施形態と同じ構成動作については説明を省略する。
【０１５９】
まず、受信部２３が受信する、携帯端末３から送信されるアクノリッジ信号は、ステータス情報と携帯端末３がデータを受信した際の受信電力とからなる。
送信部２２は、携帯端末３に血糖値データを送信した後で、図１８に示すフォーマットに従って各情報（曜日、送信時間（時刻）、送信電力、アクノリッジ信号受信の有無、（携帯端末３における）受信電力、基準受信電力、血糖値）を格納するように記憶部２４に指示する。基準受信電力については後述する。
【０１６０】
次に、図１９の送信電力決定部２５のブロック図、図２０の送信電力決定部２５の制御フローチャートを用いて、送信電力決定部２５の詳細な説明を行う。
送信電力決定部２５は、図１９に示すように、送信電力制御回路２５１と、変換テーブル２５２と、送信電力セレクタ２５３と、送信電力レジスタ２５４と、受信電力セレクタ２５５とを備えている。
【０１６１】
送信電力制御回路２５１は、変換テーブル２５２と送信電力制御回路２５１との制御を行う。
変換テーブル２５２は、送信電力制御回路２５１が出力した電力に対して２ｄＢｍ大きい値あるいは２ｄＢｍ小さい値の電力を出力する。
【０１６２】
送信電力セレクタ２５３は、送信電力レジスタ２５４に格納する送信電力を切り換える。
送信電力レジスタ２５４は、最適電力として格納された送信電力を送信部２２に対して出力する。
【０１６３】
受信電力セレクタ２５５は、携帯端末３が血糖値データを受信する際の最適な受信電力として設定される基準受信電力を切り換える。
なお、図２０の制御フローチャート中のＮＡは、記憶部２４から読み出した履歴情報においてアクノリッジ信号の受信が無かった履歴情報の個数を示すカウント値を示している。
【０１６４】
送信電力制御回路２５１は、血糖値検出部２１から血糖値データおよび起動パルスが出力されると、血糖値が４００ｍｇ／ｄｌ以上かどうかのチェックを行う。
そして、血糖値が４００ｍｇ／ｄｌ以上の場合、送信電力制御回路２５１は、送信電力セレクタ２５３を切り替えて最大送信電力を送信電力レジスタ２５４に格納させる。そして、送信電力レジスタ２５４は、最適電力として格納された最大送信電力を送信部２２に対して出力する。これにより、医師等が緊急に処置しなければならない状況において、送信電力不足による送信の失敗を少なくすることを可能としている。
【０１６５】
一方、血糖値が４００ｍｇ／ｄｌより小さい場合、送信電力制御回路２５１は、記憶部２４に対してメモリアクセス要求を行う。記憶部２４においてメモリアクセス要求が受け付けられて、記憶部２４から送信電力制御回路２５１に履歴情報がリードデータとして転送されると、送信電力制御回路２５１は、履歴情報に含まれるアクノリッジ信号受信の有無の情報をチェックして、受け取った履歴情報においてアクノリッジ信号の受領が無かったものの数をＮＡ（ＮＯ  ＡＣＫ）としてカウントする。
【０１６６】
ＮＡが０の場合は、受信部２３が抽出された履歴情報が全てアクノリッジ信号を受信できているので、携帯端末３が血糖値データを受信した際の受信電力（以下、基準受信電力と示す）、が必要以上に高い可能性がある。そこで、送信電力制御回路２５１は、基準受信電力を変換テーブル２５２に入力し、履歴情報に含まれる最も新しい送信電力（最新送信電力）が最小電力として規定している−５ｄＢｍ（初期電力−５ｄＢｍのことを示す）以下でなければ受信電力セレクタ２５５を切り換えて、その基準受信電力よりも２ｄＢｍ小さい値を新たな基準受信電力として算出し、記憶部２４に格納させる。一方、最新送信電力が最小電力として規定している−５ｄＢｍ以下であれば、送信電力制御回路２５１は、現在の基準受信電力で出力されるように受信電力セレクタ２５５を切り替えて、記憶部２４に格納させる。
【０１６７】
ＮＡが１以上、かつ、最も新しい履歴情報がアクノリッジ信号を受信して無かった場合（図２０において「最新履歴はＡＣＫ無」と表記）、基準受信電力が必要な電力よりも低い可能性がある。そこで、送信電力制御回路２５１は、基準受信電力を変換テーブル２５２に入力し、最新送信電力が最大電力として規定している＋５ｄＢｍ（初期電力＋５ｄＢｍのことを示す）以上でなければ受信電力セレクタ２５５を切り換えて、その基準送信電力よりも２ｄＢｍ大きい値を新たな基準受信電力として算出し、記憶部２４に記憶させる。一方、最新送信電力が最大電力として規定している＋５ｄＢｍ以上であれば、送信電力制御回路２５１は、現在の基準受信電力で出力されるように受信電力セレクタ２５５を切り替えて、記憶部２４に格納させる。
【０１６８】
基準受信電力が算出されると送信電力制御回路２５１は、最も新しい履歴情報の受信電力（最新受信電力）と基準受信電力を比較する。そして、最新受信電力が新たに算出された基準受信電力よりも５ｄＢｍ以上大きければ、送信電力制御回路２５１は、履歴情報の送信電力を変換テーブル２５２に入力するとともに送信電力セレクタ２５３を切り替えて、最新送信電力に対して２ｄＢｍ小さい値を新たな送信電力として算出し、送信電力レジスタ２５４に格納する。
【０１６９】
そして、送信電力レジスタ２５４は、最適電力として格納された電力を送信部２２に対して出力する。
これにより、送信部２２が送信する際の送信電力を携帯端末３と無線血糖計２との通信を可能な範囲で小さくすることができるので、省電力化を図ることができる。
【０１７０】
また、最新受信電力が新たに算出された基準受信電力よりも５ｄＢｍ以上小さければ、送信電力制御回路２５１は、履歴情報の送信電力を変換テーブル２５２に入力するとともに送信電力セレクタ２５３を切り替えて、最新送信電力に対して２ｄＢｍ大きい値を新たな送信電力として算出し、送信電力レジスタ２５４に格納する。
【０１７１】
また、最新受信電力が新たに算出された基準受信電力よりも５ｄＢｍ以上大きくなく、かつ、５ｄＢｍ以上小さくない場合、すなわち、最新受信電力が新たに算出された基準受信電力に対してプラスマイナス５ｄＢｍの範囲であれば、送信電力制御回路２５１は、最新送信電力に対して変更を加えないで送信電力レジスタ２５４に格納する。
【０１７２】
そして、送信電力レジスタ２５４は、最適電力として格納された電力を送信部２２に対して出力する。
これにより、携帯端末３が無線血糖計２より送信されるデータを確実に受信できるように、送信部２２が送信する際の送信電力を最適に決定することができる。
【０１７３】
このように、抽出条件にあった中で最新の５組の履歴情報の中にＮＡが含まれているかどうかで送信電力の増減を決めている。なお、無線血糖計２の使用を開始した時や、ソフトウエアリセット等により記憶部２４に履歴情報が記憶されていない時には、送信電力セレクタ２５３が初期電力を選択するようにする。ここで、初期電力とは、通常使用を想定した場合に電波が届く必要十分な電力であり、例えば、最大送信電力と通信可能な最小送信電力との中間値とする。
【０１７４】
このように、本実施の形態の無線血糖計２においては、受信側の携帯端末３が実際に血糖値データを受信した際の受信電力に基づいて基準受信電力を設定し、送信電力を決定することができるので、外部環境等により無線血糖計２が送信した際の送信電力と携帯端末３が受信した時の受信電力とが異なる場合であっても適正に送信電力の最適化を図ることが可能となる。
【０１７５】
次に、携帯端末３の構成について説明する。図２１は、携帯端末３のブロック図を示すものである。携帯端末３は、図２１に示すように、受信部（外部受信部）Ａ１と、受信電力判定部Ａ２と、誤り検出部Ａ３と、記憶部Ａ４と、送信電力選択部Ａ５と、送信部（外部送信部）Ａ６とを有している。
【０１７６】
受信部Ａ１は、受信した信号から搬送波の検出を行い、搬送波を受信電力判定部Ａ２へ出力する。さらに、受信した信号からプリアンブルパターンやシンクパターンを用いて送信データの復調を行い、復調後のデータを誤り検出部Ａ３へと出力する。
【０１７７】
受信電力判定部Ａ２は、受信部Ａ１から出力された搬送波から受信部Ａ１がデータを受信した際の受信電力を算出し、所定の値と比較する。そして、受信電力を送信部Ａ６へ、比較結果を送信電力選択部Ａ５へ出力する。ここで所定の値を、無線血糖計２内の送信電力決定部２５において送信する際の最小電力として規定されている−５ｄＢｍより小さく、携帯端末３が受信可能な下限の電力よりも大きい値に設定する。詳しくは、通常の使用で想定される無線血糖計２と携帯端末３間の距離で減衰する電力を、前記最小電力（−５ｄＢｍ）から引いた値を所定の値とする。
【０１７８】
送信電力選択部Ａ５は、受信電力判定部Ａ２から、受信電力が所定の値より小さいという結果が伝えられた時に、送信電力を最大電力にするように送信部Ａ６へ指示する。
誤り検出部Ａ３は、受信部Ａ１から出力される復調後のデータに対して、このデータに付加されている誤り検出符号を用いて誤り検出を行う。誤り検出の結果、誤りが無ければ、復調後のデータから測定データを取り出し、記憶部Ａ４へ出力する。そして、送信部Ａ６へ測定データを正常に受信したことを伝える。
【０１７９】
記憶部Ａ４は、誤り検出部Ａ３から出力される測定データを記憶する。
送信部Ａ６は、誤り検出部Ａ３から測定データを正常に受信したことが伝えられると、無線血糖計２に対してアクノリッジ信号の送信を行う。このアクノリッジ信号の中には受信電力判定部Ａ２が測定した受信電力を加えている。この時、受信電力判定部Ａ２から、受信電力が所定の値よりも小さいと通知されている場合には、送信可能な最大電力で送信を行う。
【０１８０】
一方、誤り検出部Ａ３において誤りが検出された場合、送信部Ａ６は無線血糖計２に対してノンアクノリッジ信号（無線血糖計２において、データ送信が正常に行われなかったと解される）を送信する。この時、受信電力判定部Ａ２の判定結果に関係なく送信可能な最大電力で送信を行う。
【０１８１】
このように、携帯端末３の受信電力が所定の値よりも小さい場合にはアクノリッジ信号を最大電力で送信すれば、無線血糖計２と携帯端末３の距離が通常よりも離れていたり、無線血糖計２と携帯端末３との間に障害物等があって途中の経路で電波が想定以上に減衰してしまうような状況であっても、無線血糖計２に対して確実にアクノリッジ信号が届くようにすることが出来る。これにより、無線血糖計２から携帯端末３に対して正常にデータを送信出来たにもかかわらず、無線血糖計２において、アクノリッジ信号が受信出来ないということが無くなり、無線血糖計２が、データ送信が正常に行われなかったと判断して、データの再送信を行ってしまうことを防ぐことが出来る。
【０１８２】
［他の実施形態］
以上、本発明の一実施形態について説明したが、本発明は上記実施形態に限定されるものではなく、発明の要旨を逸脱しない範囲で種々の変更が可能である。
【０１８３】
（Ａ）
上記実施形態においては、生体試料測定装置の一例として無線血糖計２に適用する例を挙げて説明した。しかし、本発明はこれに限定されるものではない。
【０１８４】
例えば、乳酸、尿酸などを測定する測定装置の場合でも良く、そのデータを他の端末等に無線送信するような装置であれば、上記の実施形態に係る無線血糖計２と同様の効果を得ることができる。
【０１８５】
（Ｂ）
上記実施形態の無線血糖計２においては、履歴情報を抽出するための条件として、測定時と同じ曜日、同じ時間帯の履歴情報を抽出する例を挙げて説明した。しかし、本発明はこれに限定されるものではない。
【０１８６】
例えば、新しいものから順に抽出するような条件としてもよいし、測定時と同じ曜日、同じ時間帯、さらに新しいものから順に抽出するといった条件としてもよい。抽出条件（送信電力決定規則）を適切に設定することで、無線血糖計の測定者の使用状況等に合わせた使用をすることができる。
【０１８７】
（Ｃ）
上記実施形態の無線血糖計２においては、送信電力制御回路２５１が、履歴情報に応じて最新送信電力よりも２ｄＢｍ小さい値、あるいは、大きい値が出力されるように送信電力セレクタ２５３を切り替えさせる例を挙げて説明した。しかし、本発明はこれに限定されるものではない。
【０１８８】
例えば、送信電力制御回路は、最新送信電力よりも３ｄＢｍ小さい値、あるいは、大きい値が出力されるように送信電力セレクタを切り替えてもよく、その大きくあるいは小さくさせる間隔を問うものではない。適時、適切な間隔に設定することができる。
【０１８９】
（Ｄ）
上記第１の実施形態の無線血糖計２では、電力演算回路２５５が、履歴情報と測定したノイズに応じて、送信電力に対するノイズ電力レジスタ２５６の雑音比が、直近の履歴情報の送信電力に対するノイズ電力の雑音比の０．９倍、１．０倍、１．１倍となるように送信電力を決定する例を挙げて説明した。しかし、本発明はこれに限定されるものではない。
【０１９０】
例えば、電力演算回路２５５が調整する雑音比の調整は、０．８倍、１．０倍、１．２倍となるように調整してもよく、その調整倍率を問うものではない。適時、適切な調整倍率に設定することができる。
【０１９１】
（Ｅ）
上記第３の実施形態の無線血糖計２においては、送信電力制御回路２５１が、履歴情報に応じて現在記憶されている基準受信電力よりも２ｄＢｍ小さい値、あるいは、大きい値に設定されるように受信電力セレクタ２５５を切り替えさせる例を挙げて説明した。しかし、本発明はこれに限定されるものではない。
【０１９２】
例えば、送信電力制御回路は、設定されている基準受信電力よりも３ｄＢｍ小さい値、あるいは、大きい値に設定されるように受信電力セレクタを切り替えてもよく、その大きくあるいは小さくさせる間隔を問うものではない。適時、適切な間隔に設定することができる。
【０１９３】
（Ｆ）
上記実施形態の無線血糖計２では、送信電力制御回路２５１は、血糖値検出部２１から血糖値データおよび起動パルスが出力されると、血糖値が４００ｍｇ／ｄｌ以上かどうかのチェックを行う例を挙げて説明した。しかし、本発明はこれに限定されるものではない。
【０１９４】
ここでは、糖尿病患者の一般的な指標を採用しているに過ぎず、例えば、その設定値を３５０ｍｇ／ｄｌにする等、測定者に応じて設定してもよい。
また、測定された血糖値が５０ｍｇ／ｄｌ以下であった場合、警告音出力部２６３、表示部２６２が警告を発するが、この場合も同様に、測定者に応じて設定してもよい。
【０１９５】
（Ｇ）
上記実施形態の無線血糖計２では、図１に示す制御ブロックは、それぞれのハードウェアの機能により構築する例を挙げて説明した。しかし、本発明はこれに限定されるものではない。
【０１９６】
図１に示す制御ブロックの構築は、例えば、１つのハードウェアやコンピュータソフトウェア、あるいはハードウェアとコンピュータソフトウェアの機能を組み合わせてもよく、処理能力等に応じて適宜決めることができる。
【産業上の利用可能性】
【０１９７】
本発明に係る生体試料測定装置は、微弱な電波を用いて通信を行う際に低消費電力化を図ることができ、電源としてバッテリを用いて無線で通信を行う生体試料測定装置として有用である。
【図面の簡単な説明】
【０１９８】
【図１】本発明の第１の実施形態における無線血糖計と周辺デバイスのブロック図。
【図２】本発明の第１の実施形態における血糖値検出部のブロック図。
【図３】本発明の第１の実施形態における送信部のブロック図。
【図４】本発明の第１の実施形態における送信部の制御フローチャート。
【図５】本発明の第１の実施形態における受信部のブロック図。
【図６】本発明の第１の実施形態における受信部の制御フローチャート。
【図７】本発明の第１の実施形態における記憶部のブロック図。
【図８】本発明の第１の実施形態における格納フォーマットを説明する説明図。
【図９】本発明の第１の実施形態における記憶部の制御フローチャート。
【図１０】本発明の第１の実施形態における送信電力決定部のブロック図。
【図１１】本発明の第１の実施形態における送信電力決定部の制御フローチャート。
【図１２】本発明の第１の実施形態におけるインタフェース部のブロック図。
【図１３】本発明の第２の実施形態における受信部のブロック図。
【図１４】本発明の第２の実施形態における受信部の制御フローチャート。
【図１５】本発明の第２の実施形態における格納フォーマットを説明する説明図。
【図１６】本発明の第２の実施形態における送信電力決定部のブロック図。
【図１７】本発明の第２の実施形態における送信電力決定部の制御フローチャート。
【図１８】本発明の第３の実施形態における格納フォーマットを説明する説明図。
【図１９】本発明の第３の実施形態における送信電力決定部のブロック図。
【図２０】本発明の第３の実施形態における送信電力決定部の制御フローチャート。
【図２１】本発明の第３の実施形態における携帯端末のブロック図。
【図２２】従来の無線携帯端末機における送信電力の制御フローチャート。
【符号の説明】
【０１９９】
１        バイオセンサ
２        無線血糖計（生体試料測定装置）
３        携帯端末（外部機器）
４        血糖値測定システム（生体試料測定システム）
１１      作用極
１２      対極
１３      反応体
２１      血糖値検出部（生体データ測定部）
２２      送信部
２３      受信部
２４      記憶部
２５      送信電力決定部
２６      インタフェース部
２８      ノイズ電力取得部（雑音電力測定部）
２１１    コネクタ
２１２    演算増幅器
２１３    帰還抵抗
２１４    基準電位
２１５    Ａ／Ｄ変換回路
２１６    演算回路
２２１    送信制御回路
２２２    最適電力保持レジスタ
２２３    最大電力保持レジスタ
２２４    セレクタ
２２５    送信回路
２３１    受信制御回路
２３２    受信回路
２３３    プリアンブル検出回路
２３４    シンクパターン検出回路
２３５    復調回路
２３６    受信レジスタ
２３７    誤り検出回路
２４１    メモリ
２４２    メモリ制御回路
２４３    調停回路
２４４    条件判別回路
２４５    カレントポインタ
２４６    アドレス生成回路
２４７    データレジスタ
２５１    送信電力制御回路
２５２    変換テーブル
２５３    送信電力セレクタ
２５４    送信電力レジスタ
２５５    送信電力制御回路
２５６    ノイズ電力レジスタ
２６１    動作設定部
２６２    表示部
２６３    警告音出力部
２６４    時間管理部
Ａ１      受信部（外部受信部）
Ａ２      受信電力判定部
Ａ３      誤り検出部
Ａ４      記憶部
Ａ５      送信電力選択部
Ａ６      送信部（外部送信部）
【図１】
0005043810.tif 000002
【図２】
0005043810.tif 000003
【図３】
0005043810.tif 000004
【図４】
0005043810.tif 000005
【図５】
0005043810.tif 000006
【図６】
0005043810.tif 000007
【図７】
0005043810.tif 000008
【図８】
0005043810.tif 000009
【図９】
0005043810.tif 000010
【図１０】
0005043810.tif 000011
【図１１】
0005043810.tif 000012
【図１２】
0005043810.tif 000013
【図１３】
0005043810.tif 000014
【図１４】
0005043810.tif 000015
【図１５】
0005043810.tif 000016
【図１６】
0005043810.tif 000017
【図１７】
0005043810.tif 000018
【図１８】
0005043810.tif 000019
【図１９】
0005043810.tif 000020
【図２０】
0005043810.tif 000021
【図２１】
0005043810.tif 000022
【図２２】
0005043810.tif 000023